(57)【要約】【課題】ガイド部の移動方向において給紙装置が大型化するのを抑制しながら、識別可能な媒体サイズの数を増加させることが可能な給紙装置を提供する。【解決手段】この給紙装置１００は、孔部１ｃが設けられ、用紙２を載置する載置面１ａを含むトレイ１と、載置面１ａの用紙２をガイドし、用紙２の大きさに対応して用紙２の搬送方向と略直交する方向に移動可能に構成されたガイド部３と、孔部１ｃから露出する２つの反射型フォトセンサ４と、を備える。また、給紙装置１００は、トレイ１と２つの反射型フォトセンサ４との間に配置され、ガイド部３の移動に連動してスライド移動するとともに、スライド移動することによって露出する反射型フォトセンサ４が変わる２つの開口部５０を含む遮光性のシャッタ５を備える。また、２つの反射型フォトセンサ４は、ガイド部３の移動方向と交差する方向に沿って並んで配置される。【選択図】図２
2018193176.tif 000002
【特許請求の範囲】
【請求項１】
孔部が設けられているとともに、媒体を載置する載置面を含む載置部と、
前記載置面の前記媒体をガイドし、前記媒体の大きさに対応して前記媒体の搬送方向と略直交する方向に移動可能に構成されたガイド部と、
前記孔部から露出する複数の反射型光学センサと、
前記載置部と前記複数の反射型光学センサとの間に配置され、前記ガイド部の移動に連動してスライド移動するとともに、スライド移動することによって露出する前記反射型光学センサが変わる複数の開口部を含む遮光性の板状部材と、を備え、
前記複数の反射型光学センサは、前記ガイド部の移動方向と交差する方向に沿って並んで配置される、給紙装置。
【請求項２】
前記複数の開口部は、前記媒体の大きさに対応して前記板状部材の前記開口部から露出する前記反射型光学センサが変わる位置に配置されている、請求項１に記載の給紙装置。
【請求項３】
前記複数の反射型光学センサは、前記ガイド部の移動方向と略直交する方向に沿って並んで配置されている、請求項１または２に記載の給紙装置。
【請求項４】
前記ガイド部と噛み合う第１歯車を含む歯車部をさらに備え、
前記ガイド部および前記板状部材の各々は、前記第１歯車により互いに連動する、請求項１〜３のいずれか１項に記載の給紙装置。
【請求項５】
前記ガイド部および前記板状部材は、前記第１歯車により、互いに逆方向に移動するように構成されている、請求項４に記載の給紙装置。
【請求項６】
前記歯車部は、前記第１歯車と同軸上に配置され、前記板状部材と噛み合うとともに前記第１歯車よりも直径が小さい第２歯車をさらに含み、
前記媒体の大きさに対応して前記ガイド部が移動することにより前記第１歯車が回転することに連動して、前記第２歯車が回転するとともに前記板状部材がスライド移動するように構成されている、請求項４または５に記載の給紙装置。
【請求項７】
前記媒体が前記載置面に載置されている場合に、前記ガイド部の移動方向における前記媒体の一方端は前記ガイド部によりガイドされているとともに、前記媒体の他方端は前記載置面の近傍に設けられている固定部により固定され、
前記媒体の一方端の位置に合わせて前記ガイド部が移動することに連動して、前記板状部材がスライド移動する、請求項６に記載の給紙装置。
【請求項８】
前記第１歯車は、前記ガイド部および前記板状部材の各々と噛み合い、
前記ガイド部が移動することにより前記第１歯車が回転することに連動して、前記板状部材がスライド移動するように構成されている、請求項４または５に記載の給紙装置。
【請求項９】
前記媒体が前記載置面に載置されている場合に、前記ガイド部の移動方向における前記媒体の両端は前記ガイド部によりガイドされており、
前記媒体の両端に合わせて前記ガイド部が移動することに連動して、前記板状部材がスライド移動する、請求項８に記載の給紙装置。
【請求項１０】
前記歯車部は、前記ガイド部を移動させるために設けられている歯車により構成されている、請求項９のいずれか１項に記載の給紙装置。
【請求項１１】
前記複数の反射型光学センサの各々は、発光部と受光部とを有し、
前記媒体が前記載置面に載置されているとともに、前記反射型光学センサが前記開口部から露出していない場合に、前記反射型光学センサの発光部から出射された光は、前記反射型光学センサの受光部とは異なる方向に反射するように構成されている、請求項１〜１０のいずれか１項に記載の給紙装置。
【請求項１２】
前記媒体が前記載置面に載置されていないとともに、前記反射型光学センサが前記開口部から露出している場合は、前記反射型光学センサの発光部から出射された光は前記反射型光学センサの受光部とは異なる方向に反射するように構成されている、請求項１１に記載の給紙装置。
【請求項１３】
前記板状部材は、前記板状部材のスライド移動方向において前記開口部と並んで配置される傾斜部を含み、前記傾斜部に対向している前記反射型光学センサの発光部から出射された光は前記傾斜部により拡散されて前記反射型光学センサの受光部とは異なる方向に反射するように構成されている、請求項１１または１２に記載の給紙装置。
【請求項１４】
前記複数の反射型光学センサと対向するとともに、前記載置面に対して前記複数の反射型光学センサが配置されている側とは反対側に配置される反射板をさらに備え、
前記媒体が前記載置面に載置されていない場合に、前記反射型光学センサの発光部から出射された光は、前記反射板により拡散されて前記反射型光学センサの受光部とは異なる方向に反射するように構成されている、請求項１１〜１３のいずれか１項に記載の給紙装置。
【請求項１５】
前記開口部は、前記反射型光学センサから出射された光を前記載置面側に通す出射側開口部と、前記媒体により反射された前記反射型光学センサから出射された光を前記反射型光学センサ側に通す入射側開口部とを含み、前記出射側開口部および前記入射側開口部の各々は、光の入射側の開口の方が光の出射側の開口よりも大きい、請求項１〜１４のいずれか１項に記載の給紙装置。
【請求項１６】
前記反射型光学センサは、第１反射型光学センサと第２反射型光学センサとの２つを含み、
前記開口部は、前記第１反射型光学センサを露出させる第１開口部と、前記第２反射型光学センサを露出させるとともに、前記板状部材のスライド移動方向における長さが前記第１開口部とは異なる第２開口部とを含む、請求項１〜１５のいずれか１項に記載の給紙装置。
【請求項１７】
前記反射型光学センサは、第１反射型光学センサと、第２反射型光学センサと、第３反射型光学センサとの３つを含み、
前記開口部は、前記第１反射型光学センサを露出させる第１開口部と、前記第２反射型光学センサを露出させるとともに、前記板状部材のスライド移動方向における長さが前記第１開口部とは異なる第２開口部と、前記第３反射型光学センサを露出させるとともに、前記板状部材のスライド移動方向における長さが前記第１開口部および前記第２開口部とは異なる第３開口部とを含む、請求項１〜１５のいずれか１項に記載の給紙装置。
【発明の詳細な説明】
【技術分野】
【０００１】
この発明は、給紙装置に関し、特に、媒体の大きさを検出する反射型光学センサを備えた給紙装置に関する。
【背景技術】
【０００２】
従来、媒体の大きさを検出する反射型光学センサを備えた給紙装置が知られている（たとえば、特許文献１参照）。
【０００３】
上記特許文献１の紙サイズ検出装置（給紙装置）は、給紙カセット内にスライド移動可能に設けられたエンドガイドと、エンドガイドと一体に移動され、検出部および切欠き部を含むセンサ被検出体とを備える。また、上記紙サイズ検出装置は、給紙カセットを収容する本体側の定位置において、エンドガイドのスライド移動される部位と対向するように２つの光センサが配置されている。すなわち、２つの光センサは、エンドガイドのスライド移動方向に並んで配置されている。
【０００４】
媒体を給紙カセット内に載置する場合、媒体の大きさに対応してエンドガイドをスライド移動させ、エンドガイドの位置を調節する。この場合、エンドガイドの移動に伴って、センサ被検出体の検出部および切欠き部の位置も移動する。これにより、媒体の大きさによって、２つの光センサと、センサ被検出体の検出部および切欠き部との位置関係が変化する。たとえば、媒体のサイズがＡ４サイズの場合は、１つの光センサと検出部とが対向し、検出部と対向している光センサだけがオンする。また、媒体のサイズがＢ４サイズの場合は、２つの光センサの両方が検出部と対向し、両方の光センサがオンする。このように、媒体の大きさに対応して、エンドガイドおよびセンサ被検出体の位置を移動させることによって、２つの光センサのオンオフの組み合わせを変化させることにより媒体の大きさを検出している。
【先行技術文献】
【特許文献】
【０００５】
【特許文献１】特開平９−１２１５９号公報
【発明の概要】
【発明が解決しようとする課題】
【０００６】
上記特許文献１に記載されているような従来の紙サイズ検出装置（給紙装置）では、複数の光センサが、エンドガイドのスライド移動方向に並んで配置されているので、識別可能な媒体サイズを増やすためには、エンドガイドのスライド移動方向に並ぶ光センサの数を増加させる必要がある。この場合、エンドガイドのスライド移動方向における光センサの配置領域が大きくなる。また、光センサの数が増加した場合、エンドガイドのスライド移動方向に並ぶセンサ被検出体の検出部および切り欠き部の数も増加させる必要があるので、センサ被検出体の構造が複雑化するとともに大型化する。このため、識別可能な媒体サイズを増加させる場合に、光センサの配置領域およびセンサ被検出体の各々が大型化することに起因して、エンドガイドのスライド移動方向において紙サイズ検出装置（給紙装置）が大型化するという問題点がある。
【０００７】
この発明は、上記のような課題を解決するためになされたものであり、この発明の１つの目的は、ガイド部の移動方向において給紙装置が大型化するのを抑制しながら、識別可能な媒体サイズの数を増加させることが可能な給紙装置を提供することである。
【課題を解決するための手段】
【０００８】
この発明の一の局面による給紙装置は、孔部が設けられているとともに、媒体を載置する載置面を含む載置部と、載置面の媒体をガイドし、媒体の大きさに対応して媒体の搬送方向と略直交する方向に移動可能に構成されたガイド部と、孔部から露出する複数の反射型光学センサと、載置部と複数の反射型光学センサとの間に配置され、ガイド部の移動に連動してスライド移動するとともに、スライド移動することによって露出する反射型光学センサが変わる複数の開口部を含む遮光性の板状部材と、を備え、複数の反射型光学センサは、ガイド部の移動方向と交差する方向に沿って並んで配置される。
【０００９】
この発明の一の局面による給紙装置では、上記のように、複数の反射型光学センサを、ガイド部の移動方向と交差する方向に沿って並んで配置することによって、複数の反射型光学センサがガイド部の移動方向に沿って並んで配置されている場合に比べて、ガイド部の移動方向における複数の反射型光学センサが配置される領域の長さを比較的小さくすることができる。また、反射型光学センサが配置される領域の長さが小さくなるのに応じて、板状部材のスライド方向の長さを小さくすることができる。また、識別可能な媒体サイズの数（反射型光学センサの数）を増やした場合には、ガイド部の移動方向において給紙装置の大型化を特に効果的に抑制することができる。すなわち、ガイド部の移動方向において給紙装置が大型化するのを抑制しながら、識別可能な媒体サイズの数を増加させることができる。
【００１０】
上記一の局面による給紙装置において、好ましくは、複数の開口部は、媒体の大きさに対応して板状部材の開口部から露出する反射型光学センサが変わる位置に配置されている。このように構成すれば、板状部材の開口部から露出する反射型光学センサにより、媒体の大きさ（媒体サイズ）を容易に検出することができる。
【００１１】
上記一の局面による給紙装置において、好ましくは、複数の反射型光学センサは、ガイド部の移動方向と略直交する方向に沿って並んで配置されている。このように構成すれば、複数の反射型光学センサがガイド部の移動方向に並んで沿って配置されている場合に比べて、ガイド部の移動方向における複数の反射型光学センサが配置される領域の長さをさらに小さくすることができる。
【００１２】
上記一の局面による給紙装置において、好ましくは、ガイド部と噛み合う第１歯車を含む歯車部をさらに備え、ガイド部および板状部材の各々は、第１歯車により互いに連動するように構成されている。このように構成すれば、ガイド部を移動させる力により、第１歯車を介して、板状部材をスライド移動させることができる。
【００１３】
この場合、好ましくは、ガイド部および板状部材は、第１歯車により、互いに逆方向に移動するように構成されている。ここで、ガイド部と板状部材とが互いに同方向に移動する場合には、互いに噛み合う少なくとも２つの歯車が必要であるのに対し、１つの歯車があれば、ガイド部と板状部材とを互いに逆方向に移動させることが可能である。したがって、ガイド部と板状部材とが互いに同方向に移動する場合に比べて、ガイド部と板状部材とが互いに逆方向に移動するように構成されていることによって、部品点数の増加を抑制することができるとともに、歯車部が配置される領域を小さくすることができる。
【００１４】
上記第１歯車を含む歯車部を備える給紙装置において、好ましくは、歯車部は、第１歯車と同軸上に配置され、板状部材と噛み合うとともに第１歯車よりも直径が小さい第２歯車をさらに含み、媒体の大きさに対応してガイド部が移動することにより第１歯車が回転することに連動して、第２歯車が回転するとともに板状部材がスライド移動するように構成されている。このように構成すれば、ガイド部の移動距離に対して、板状部材のスライド移動距離を容易に小さくすることができる。その結果、板状部材がスライド移動方向において移動可能な領域を小さくすることができる。
【００１５】
この場合、好ましくは、媒体が載置面に載置されている場合に、ガイド部の移動方向における媒体の一方端はガイド部によりガイドされているとともに、媒体の他方端は載置面の近傍に設けられている固定部により固定され、媒体の一方端の位置に合わせてガイド部が移動することに連動して、板状部材がスライド移動する。このように構成すれば、両側から媒体をガイドする場合に比べて部品点数を低減させることができる。また、１つのガイド部を移動させるだけで板状部材の開口部から露出する反射型光学センサを容易に変化させる（異ならせる）ことができる。なお、載置面の近傍とは、載置面そのもの、および、載置面が配置されている付近の両方を含む意味である。
【００１６】
上記第１歯車を含む歯車部を備える給紙装置において、好ましくは、第１歯車は、ガイド部および板状部材の各々と噛み合い、ガイド部が移動することにより第１歯車が回転することに連動して、板状部材がスライド移動するように構成されている。このように構成すれば、ガイド部および板状部材が共通の第１歯車に噛み合っているので、ガイド部の移動距離と、板状部材のスライド移動距離とを略等しくすることができる。その結果、ガイド部の移動距離に対して板状部材のスライド移動距離が小さい場合に比べて、板状部材の開口部のスライド移動距離が比較的大きくなる。これにより、ガイド部の移動距離を比較的小さくしても、開口部による反射型光学センサの露出の切り替えを容易に制御することができるので、大きさの差が比較的小さい媒体サイズ同士を容易に判別することができる。また、２種類の歯車を一体的に用いる場合比べて、部品点数を低減させることができる。また、２種類の歯車を同軸上に配置する場合に比べて、歯車の厚み方向における歯車部の大きさを縮小することができる。
【００１７】
この場合、好ましくは、媒体が載置面に載置されている場合に、ガイド部の移動方向における媒体の両端はガイド部によりガイドされており、媒体の両端に合わせてガイド部が移動することに連動して、板状部材がスライド移動する。このように構成すれば、ガイド部により媒体の一方端がガイドされている場合に比べて、媒体の大きさに対応してガイド部を移動させる距離を１／２にすることができる。その結果、単一の歯車により板状部材をスライド移動させた場合でも、板状部材がスライド移動方向において移動可能な領域を容易に小さくすることができる。
【００１８】
上記媒体の両端がガイド部によりガイドされる給紙装置において、好ましくは、歯車部は、ガイド部を移動させるために設けられている歯車により構成されている。ここで、ガイド部を移動させる歯車は標準的に備えられている。したがって、歯車部が、ガイド部を移動させるために標準的に備えられている歯車により構成されていることによって、既存の部品を流用することができるので、部品点数の増加を抑制することができる。
【００１９】
上記一の局面による給紙装置において、好ましくは、複数の反射型光学センサの各々は、発光部と受光部とを有し、媒体が載置面に載置されているとともに、反射型光学センサが開口部から露出していない場合に、反射型光学センサの発光部から出射された光は、反射型光学センサの受光部とは異なる方向に反射するように構成されている。このように構成すれば、受光部の受光結果によって、反射型光学センサが開口部から露出されているか否かを容易に検知することができる。
【００２０】
この場合、好ましくは、媒体が載置面に載置されていないとともに、反射型光学センサが開口部から露出している場合に、反射型光学センサの発光部から出射された光は反射型光学センサの受光部とは異なる方向に反射するように構成されている。このように構成すれば、媒体が載置面に載置されていない場合は、反射型光学センサの受光部が光を受光していないという受光結果が得られるので、媒体が載置面に載置されていないことを容易に検知することができる。
【００２１】
上記反射型光学センサが発光部と受光部とを有する給紙装置において、好ましくは、板状部材は、板状部材のスライド移動方向において開口部と並んで配置される傾斜部を含み、傾斜部に対向している反射型光学センサの発光部から出射された光は傾斜部により拡散されて反射型光学センサの受光部とは異なる方向に反射するように構成されている。このように構成すれば、反射型光学センサの発光部からの光を、傾斜部により、反射型光学センサの受光部に向かって容易に反射させないようにすることができる。その結果、反射型光学センサが開口部から露出していない場合に、反射型光学センサの受光部が光を受光するという誤検知を抑制することができる。
【００２２】
上記反射型光学センサが発光部と受光部とを有する給紙装置において、好ましくは、複数の反射型光学センサと対向するとともに、載置面に対して複数の反射型光学センサが配置されている側とは反対側に配置される反射板をさらに備え、媒体が載置面に載置されていない場合に、反射型光学センサの発光部から出射された光は、反射板により拡散されて反射型光学センサの受光部とは異なる方向に反射する構成されている。このように構成すれば、媒体が載置面に載置されていない場合に、反射型光学センサの発光部から載置面側に出射された光が、反射型光学センサの受光部に向かって反射されるのを抑制することができる。その結果、媒体が載置面に載置されていないとともに反射型光学センサが開口部から露出している場合に、反射型光学センサの受光部が光を受光するという誤検知を抑制することができる。
【００２３】
上記一の局面による給紙装置において、好ましくは、開口部は、反射型光学センサから出射された光を載置面側に通す出射側開口部と、媒体により反射された反射型光学センサから出射された光を反射型光学センサ側に通す入射側開口部とを含み、出射側開口部および入射側開口部の各々は、光の入射側の開口の方が光の出射側の開口よりも大きい。このように構成すれば、出射側開口部および入射側開口部の各々は、光の入射側の開口から光の出射側の開口に向かって光路を狭くするように構成されている。その結果、出射側開口部および入射側開口部を通過した光が拡散するのを抑制することができる。
【００２４】
上記一の局面による給紙装置において、好ましくは、反射型光学センサは、第１反射型光学センサと第２反射型光学センサとの２つを含み、開口部は、第１反射型光学センサを露出させる第１開口部と、第２反射型光学センサを露出させるとともに、板状部材のスライド移動方向における長さが第１開口部とは異なる第２開口部とを含む。このように構成すれば、媒体の大きさに対応してガイド部を移動させることにより、第１反射型光学センサおよび第２反射型光学センサの両方が露出している場合と、第１反射型光学センサおよび第２反射型光学センサのうちの一方が露出している場合とを容易に切り替えることができる。その結果、板状部材のスライド移動方向における長さが互いに異なる第１開口部および第２開口部により、３種類の媒体の大きさを容易に検知することができる。
【００２５】
上記一の局面による給紙装置において、好ましくは、反射型光学センサは、第１反射型光学センサと、第２反射型光学センサと、第３反射型光学センサとの３つを含み、開口部は、第１反射型光学センサを露出させる第１開口部と、第２反射型光学センサを露出させるとともに、板状部材のスライド移動方向における長さが第１開口部とは異なる第２開口部と、第３反射型光学センサを露出させるとともに、板状部材のスライド移動方向における長さが第１開口部および第２開口部とは異なる第３開口部とを含む。このように構成すれば、媒体の大きさに対応してガイド部を移動させることにより、第１反射型光学センサ、第２反射型光学センサ、および、第３反射型光学センサの３つが露出している場合と、第１反射型光学センサ、第２反射型光学センサ、および、第３反射型光学センサのうちのいずれか２つが露出している場合と、第１反射型光学センサ、第２反射型光学センサ、および、第３反射型光学センサのうちのいずれか１つが露出している場合とを切り替えることができる。その結果、板状部材のスライド移動方向における長さが互いに異なる第１開口部、第２開口部、および、第３開口部により、７種類の媒体の大きさを容易に検知することができる。
【発明の効果】
【００２６】
本発明によれば、上記のように、ガイド部の移動方向において給紙装置が大型化するのを抑制しながら、識別可能な媒体サイズの数を増加させることが可能な給紙装置を提供することができる。
【図面の簡単な説明】
【００２７】
【図１】本発明の第１および第３実施形態による給紙装置が搭載されているプリンタの構成を示した斜視図である。
【図２】図１の３００−３００線に沿った第１実施形態による給紙装置の断面図である。
【図３】本発明の第１実施形態によるレターサイズの媒体が載置されている場合の給紙装置の正面図である。
【図４】本発明の第１実施形態による２Ｌサイズの媒体が載置されている場合の給紙装置の正面図である。
【図５】本発明の第１実施形態によるＬサイズの媒体が載置されている場合の給紙装置の正面図である。
【図６】図２の反射型光学センサの近傍の拡大断面図である。
【図７】本発明の第１実施形態によるレターサイズの媒体が載置されている場合の反射型光学センサの出力論理値を示した図である。
【図８】本発明の第１実施形態による２Ｌサイズの媒体が載置されている場合の反射型光学センサの出力論理値を示した図である。
【図９】本発明の第１実施形態によるＬサイズの媒体が載置されている場合の反射型光学センサの出力論理値を示した図である。
【図１０】本発明の第２実施形態によるレターサイズの媒体が載置されている場合の給紙装置の正面図である。
【図１１】本発明の第２実施形態による各サイズの媒体が載置されている場合の反射型光学センサの出力論理値を示した図である。
【図１２】本発明の第３実施形態によるレターサイズの媒体が載置されている場合の給紙装置の正面図である。
【図１３】本発明の第３実施形態による各サイズの媒体が載置されている場合の反射型光学センサの出力論理値を示した図である。
【図１４】図１の３００−３００線に沿った第３実施形態による給紙装置の断面図である。
【図１５】本発明の第１実施形態の第１変形例による給紙装置の断面図である。
【図１６】図１５の傾斜部の近傍の拡大断面図である。
【図１７】本発明の第１実施形態の第２変形例による給紙装置の断面図である。
【図１８】本発明の第１実施形態の第３変形例による給紙装置の出射側開口部および入射側開口部の近傍の拡大断面図である。
【発明を実施するための形態】
【００２８】
以下、本発明を具体化した実施形態を図面に基づいて説明する。
【００２９】
［第１実施形態］
まず、図１〜図９を参照して、本発明の第１実施形態による給紙装置１００の構成について説明する。なお、図２〜図６は概略図であって、簡略化のため、説明に不要な部材は図示を省略している。
【００３０】
図１に示すように、本発明の第１実施形態による給紙装置１００は、プリンタ２００に備えられている。プリンタ２００には、用紙２（図２参照）を載置する載置面１ａを含むトレイ１が設けられている。プリンタ２００は、載置面１ａに載置されている用紙２が給紙装置１００により搬送されることにより、用紙２に文字等の印刷が可能に構成されている。なお、図１では、プリンタ２００の内部構造を図示するために、簡略化のため、プリンタ２００のカバー等の部材は図示を省略している。また、トレイ１および用紙２は、それぞれ、特許請求の範囲の「載置部」および「媒体」の一例である。
【００３１】
（給紙装置の構成）
給紙装置１００は、用紙２をガイドするガイド部３を備える。ガイド部３は、用紙２のサイズ（大きさ）に対応して、用紙２の搬送方向（Ａ方向（図２参照））と略直交する方向（Ｙ方向）に移動可能に構成されている。用紙２のサイズに対応してガイド部３を移動させることによって、用紙２をガイド部３によりガイドすることが可能である。すなわち、図３〜図５に示すように、用紙２がトレイ１の載置面１ａに載置されている場合、用紙２のＹ１方向側の端部（一方端）は、ガイド部３によりガイドされる。
【００３２】
また、図１に示すように、用紙２（図２参照）がトレイ１の載置面１ａに載置されている場合、用紙２のＹ２方向側の端部（他方端）は、載置面１ａの近傍に設けられている壁部１ｂにより固定されている。壁部１ｂは、載置面１ａに対して、Ｙ２方向側に隣接して設けられている。なお、壁部１ｂは、特許請求の範囲の「固定部」の一例である。
【００３３】
図２に示すように、ガイド部３は、載置面１ａの表面側において用紙２を保持する保持部３ａと、載置面１ａの裏面側においてガイド部３の移動を制御する移動制御部３ｂとを含む。保持部３ａと移動制御部３ｂとは一体的に形成されている。
【００３４】
図３に示すように、移動制御部３ｂはＹ方向に延びるように形成されている。また、載置面１ａの裏面側には、Ｙ方向に延びるレール部１０１が設けられている。移動制御部３ｂは、レール部１０１に挟まれることによりガイドされ、Ｙ方向に移動可能に構成されている。
【００３５】
図２に示すように、給紙装置１００は、トレイ１の載置面１ａの裏面側に、複数（第１実施形態では２つ）の反射型フォトセンサ４を備える。反射型フォトセンサ４は、Ａ１方向側に設けられている第１反射型フォトセンサ４ａと、Ａ２方向側に設けられている第２反射型フォトセンサ４ｂとを含む。第１反射型フォトセンサ４ａおよび第２反射型フォトセンサ４ｂは、同一の構造を有している。なお、反射型フォトセンサ４、第１反射型フォトセンサ４ａ、および、第２反射型フォトセンサ４ｂは、それぞれ、特許請求の範囲の「反射型光学センサ」の一例である。また、第１反射型フォトセンサ４ａおよび第２反射型フォトセンサ４ｂは、それぞれ、特許請求の範囲の「第１反射型光学センサ」および「第２反射型光学センサ」の一例である。
【００３６】
第１反射型フォトセンサ４ａおよび第２反射型フォトセンサ４ｂの各々は、発光部４０（図６参照）と受光部４１（図６参照）とを有する。発光部４０と受光部４１とは、一体的に構成されておらず、互いに別個に設けられている。なお、発光部４０には、一例として赤外ＬＥＤが用いられる。なお、図６では、例として、第１反射型フォトセンサ４ａが、後述する開口部５０（第１開口部５０ａ）から露出している状態を図示している。
【００３７】
また、トレイ１（載置面１ａ）には、２つの反射型フォトセンサ４と対向する位置に孔部１ｃが設けられている。孔部１ｃは、２つの反射型フォトセンサ４と対向するように２つ設けられている。
【００３８】
給紙装置１００は、トレイ１と反射型フォトセンサ４との間に配置される遮光性のシャッタ５を備える。また、シャッタ５は、矩形形状の平板構造を有している。なお、シャッタ５は、特許請求の範囲の「板状部材」の一例である。
【００３９】
ここで、第１実施形態では、給紙装置１００は、ガイド部３およびシャッタ５の各々に噛み合う歯車部６を備える。用紙２の大きさに対応してガイド部３を移動させることにより、歯車部６が回転するように構成されている。そして、歯車部６が回転することに連動して、シャッタ５がスライド移動するように構成されている。すなわち、シャッタ５は、ガイド部３の移動に連動してスライド移動するように構成されている。
【００４０】
具体的には、歯車部６は、ガイド部３（移動制御部３ｂ）と噛み合う第１歯車６ａと、第１歯車６ａと同軸上に配置され、シャッタ５に噛み合う第２歯車６ｂとを含む。第２歯車６ｂの直径は、第１歯車６ａの直径よりも小さい。具体的には、ガイド部３（移動制御部３ｂ）は、第１歯車６ａの上端部（Ａ１方向側の端部）と噛み合う。また、シャッタ５は、第２歯車６ｂの下端部（Ａ２方向側の端部）と噛み合う。なお、歯車部６は、２Ｌサイズの用紙２が載置面１ａに載置された場合（図４参照）において、２Ｌサイズの用紙２のＹ１方向側の端部の近傍とオーバーラップする位置に設けられている。
【００４１】
また、第１実施形態では、ガイド部３およびシャッタ５の各々は、第１歯車６ａにより互いに連動する。具体的には、ガイド部３およびシャッタ５の各々は、第１歯車６ａにより、互いに逆方向側に移動するように構成されている。詳細には、ガイド部３がＹ２方向側（Ｙ１方向側）に移動することにより第１歯車６ａが時計回り（反時計周り）に回転する。そして、第１歯車６ａの回転により第２歯車６ｂが時計回り（反時計周り）に回転することに連動して、シャッタ５はＹ１方向側（Ｙ２方向側）にスライド移動する。
【００４２】
ここで、第１実施形態では、図３に示すように、複数（第１実施形態では２つ）の反射型フォトセンサ４は、ガイド部３の移動方向（Ｙ方向）と交差する方向に沿って並んで配置されている。具体的には、載置面１ａを正面から見て、複数の反射型フォトセンサ４は、ガイド部３の移動方向（Ｙ方向）と略直交する方向（Ａ方向）に沿って並んで配置されている。また、複数の反射型フォトセンサ４は隣接して配置されており、共通の光源基板４２（図６参照）に設けられている。
【００４３】
また、複数（第１実施形態では２つ）の反射型フォトセンサ４は、Ｌサイズの用紙２が載置面１ａに載置された場合（図５参照）において、Ｌサイズの用紙２のＹ１方向側の端部の近傍とオーバーラップする位置に設けられている。
【００４４】
シャッタ５は、複数（第１実施形態では２つ）の開口部５０を含む。複数の開口部５０は、Ａ１方向側に設けられているとともに、第１反射型フォトセンサ４ａを露出させる第１開口部５０ａと、Ａ２方向側に設けられているとともに第２反射型フォトセンサ４ｂを露出させる第２開口部５０ｂとにより構成されている。なお、第１開口部５０ａおよび第２開口部５０ｂは、それぞれ、特許請求の範囲の「第１開口部」および「第２開口部」の一例である。
【００４５】
第１開口部５０ａおよび第２開口部５０ｂの各々は、単一の開口により構成されている。第１開口部５０ａは、Ｙ方向に延びる長方形形状を有している。また、第２開口部５０ｂは、Ｙ方向に延びる長方形形状を有している。なお、第１開口部５０ａのＹ方向における長さは、第２開口部５０ｂのＹ方向における長さよりも小さい。なお、開口部５０の構成はこれに限られない。
【００４６】
ここで、第１実施形態では、用紙２の大きさに対応してガイド部３を移動させた場合に、ガイド部３の移動に連動してシャッタ５がスライド移動することによって、開口部５０から露出する反射型フォトセンサ４が変わるように構成されている。具体的には、用紙２の大きさに対応して用紙２のＹ１方向側の端部（一方端）の位置に合わせるようにガイド部３を移動させた場合に、ガイド部３の移動に連動してスライド移動するシャッタ５の位置に応じて、複数の反射型フォトセンサ４のうちのいずれが開口部５０から露出するのかが変化するように構成されている。
【００４７】
詳細には、用紙２の大きさに対応してガイド部３を移動させることにより、第１反射型フォトセンサ４ａおよび第２反射型フォトセンサ４ｂの両方が露出している場合と、第１反射型フォトセンサ４ａおよび第２反射型フォトセンサ４ｂのうちの一方が露出している場合とを切り替えるように構成されている。
【００４８】
また、第１実施形態では、複数（第１実施形態では２つ）の開口部５０は、用紙２の大きさに対応してシャッタ５の開口部５０から露出する反射型フォトセンサ４が変わる位置に配置されている。すなわち、ガイド部３を移動させた場合にシャッタ５の開口部５０から露出する反射型フォトセンサ４が変化するように、シャッタ５のスライド移動方向（Ｙ方向）において位置をずらして配置されている。具体的には、Ｙ方向において、シャッタ５には、第１開口部５０ａおよび第２開口部５０ｂがオーバーラップしている部分、および、第１開口部５０ａおよび第２開口部５０ｂがオーバーラップしていない部分の両方が含まれる。
【００４９】
詳細には、第１開口部５０ａのＹ１方向の端部は、第２開口部５０ｂのＹ１方向の端部よりもＹ２方向側に位置し、第２開口部５０ｂのＹ２方向の端部よりもＹ１方向側に位置している。また、第１開口部５０ａのＹ２方向の端部は、第２開口部５０ｂのＹ２方向の端部よりもＹ２方向側に位置している。
【００５０】
以下に、図３〜図５に基づいて、レターサイズの用紙２が載置面１ａ（図２参照）に載置されている場合（図３参照）の給紙装置１００の状態、２Ｌサイズの用紙２が載置面１ａに載置されている場合（図４参照）の給紙装置１００の状態、および、Ｌサイズの用紙２が載置面１ａに載置されている場合（図５参照）の給紙装置１００の状態について説明する。なお、図３〜図５では載置されている用紙２のみを実線で示し、他のサイズの用紙２を点線で示している。たとえば、図３では、レターサイズの用紙２のみを実線で示し、Ａ４、２Ｌ、および、Ｌサイズの用紙２を点線で示している。
【００５１】
図３に示すように、ガイド部３がレターサイズの用紙２に対応した位置に配置されている場合、第１反射型フォトセンサ４ａは、開口部５０（第１開口部５０ａ）から露出していない。また、第２反射型フォトセンサ４ｂは、開口部５０（第２開口部５０ｂ）から露出している。なお、この場合、移動制御部３ｂのＹ２方向側の端部は、歯車部６よりもＹ１方向側にあるので、移動制御部３ｂと第１歯車６ａとは噛み合っていない。
【００５２】
図４に示すように、ガイド部３が２Ｌサイズの用紙２に対応した位置に配置されている場合、第１反射型フォトセンサ４ａおよび第２反射型フォトセンサ４ｂの各々は、開口部５０から露出している。すなわち、第１反射型フォトセンサ４ａは第１開口部５０ａから露出し、第２反射型フォトセンサ４ｂは第２開口部５０ｂから露出している。なお、この場合、移動制御部３ｂのＹ２方向側の端部は、歯車部６よりもＹ２方向側にあるので、移動制御部３ｂと第１歯車６ａとは噛み合っている。
【００５３】
図５に示すように、ガイド部３がＬサイズの用紙２に対応した位置に配置されている場合、第１反射型フォトセンサ４ａは、開口部５０（第１開口部５０ａ）から露出している。また、第２反射型フォトセンサ４ｂは、開口部５０（第２開口部５０ｂ）から露出していない。なお、この場合、移動制御部３ｂのＹ２方向側の端部は、歯車部６よりもＹ２方向側にあるので、移動制御部３ｂと第１歯車６ａとは噛み合っている。
【００５４】
また、反射型フォトセンサ４（第１反射型フォトセンサ４ａおよび第２反射型フォトセンサ４ｂ）の発光部４０から出射された光は、開口部５０と孔部１ｃとを介して載置面１ａ側に出射される。たとえば、図６に示すように、載置面１ａに用紙２が載置されている場合は、第１反射型フォトセンサ４ａの発光部４０から出射された光は、第１開口部５０ａと孔部１ｃとを通って、用紙２に照射される。
【００５５】
用紙２が載置面１ａに載置されているとともに、第１反射型フォトセンサ４ａ（第２反射型フォトセンサ４ｂ）が第１開口部５０ａ（第２開口部５０ｂ）から露出している場合において、第１反射型フォトセンサ４ａ（第２反射型フォトセンサ４ｂ）の発光部４０から出射された光は、用紙２により第１反射型フォトセンサ４ａ（第２反射型フォトセンサ４ｂ）の受光部４１に向かって反射される。
【００５６】
ここで、第１実施形態では、図示しないが、用紙２が載置面１ａに載置されているとともに、第１反射型フォトセンサ４ａ（第２反射型フォトセンサ４ｂ）が第１開口部５０ａ（第２開口部５０ｂ）から露出していない場合において、第１反射型フォトセンサ４ａ（第２反射型フォトセンサ４ｂ）の発光部４０から出射された光は、第１反射型フォトセンサ４ａ（第２反射型フォトセンサ４ｂ）の受光部４１とは異なる方向に反射する。この場合、発光部４０から出射された光は、シャッタ５の開口部５０が設けられていない部分に照射されることによって、受光部４１とは異なる方向に反射するように構成されている。たとえば、シャッタ５を、光を反射させ難い素材（光を吸収する素材）等により形成することによって、これを実現することが可能である。
【００５７】
また、図示しないが、第１実施形態では、用紙２が載置面１ａに載置されていないとともに、第１反射型フォトセンサ４ａ（第２反射型フォトセンサ４ｂ）が第１開口部５０ａ（第２開口部５０ｂ）から露出している場合は、第１反射型フォトセンサ４ａ（第２反射型フォトセンサ４ｂ）の発光部４０から出射された光は第１反射型フォトセンサ４ａ（第２反射型フォトセンサ４ｂ）の受光部４１とは異なる方向に反射する。この場合、発光部４０から出射された光は、第１開口部５０ａ（第２開口部５０ｂ）および孔部１ｃを通り抜けるとともにそのまま直進し、その後、受光部４１とは異なる方向に反射する。
【００５８】
また、受光部４１により反射光が受光された反射型フォトセンサ４は論理値Ｌ（Ｌｏｗ）を出力する。また、受光部４１により反射光が受光されていない反射型フォトセンサ４は論理値Ｈ（Ｈｉｇｈ）を出力する。
【００５９】
したがって、図７に示すように、ガイド部３がレターサイズの用紙２に対応した位置に配置されている場合（図３参照）は、第１反射型フォトセンサ４ａは論理値Ｈ（Ｈｉｇｈ）を出力するとともに、第２反射型フォトセンサ４ｂは論理値Ｌ（Ｌｏｗ）を出力する。
【００６０】
また、図８に示すように、ガイド部３が２Ｌサイズの用紙２に対応した位置に配置されている場合（図４参照）は、第１反射型フォトセンサ４ａは論理値Ｌ（Ｌｏｗ）を出力するとともに、第２反射型フォトセンサ４ｂは論理値Ｌ（Ｌｏｗ）を出力する。
【００６１】
また、図９に示すように、ガイド部３がＬサイズの用紙２に対応した位置に配置されている場合（図５参照）、第１反射型フォトセンサ４ａは論理値Ｌ（Ｌｏｗ）を出力するとともに、第２反射型フォトセンサ４ｂは論理値Ｈ（Ｈｉｇｈ）を出力する。
【００６２】
また、図７〜図９に示すように、用紙２が載置面１ａ（図２参照）に載置されていない場合は、用紙２の大きさに関係なく、第１反射型フォトセンサ４ａは論理値Ｈ（Ｈｉｇｈ）を出力するとともに、第２反射型フォトセンサ４ｂは論理値Ｈ（Ｈｉｇｈ）を出力する。
【００６３】
（第１実施形態の効果）
第１実施形態では、以下のような効果を得ることができる。
【００６４】
第１実施形態では、上記のように、２つの反射型フォトセンサ４が、ガイド部３の移動方向と交差する方向に沿って並んで配置されるように、給紙装置１００を構成する。これにより、２つの反射型フォトセンサ４がガイド部３の移動方向に沿って並んで配置されている場合に比べて、ガイド部３の移動方向における２つの反射型フォトセンサ４が配置される領域の長さを比較的小さくすることができる。また、反射型フォトセンサ４が配置される領域の長さが小さくなるのに応じて、シャッタ５のスライド方向の長さを小さくすることができる。また、識別可能な用紙サイズの数（反射型フォトセンサ４の数）を増やした場合には、ガイド部３の移動方向において給紙装置１００の大型化を特に効果的に抑制することができる。すなわち、ガイド部３の移動方向において給紙装置１００が大型化するのを抑制しながら、識別可能な用紙サイズの数を増加させることができる。
【００６５】
また、第１実施形態では、上記のように、２つの開口部５０が、用紙２の大きさに対応してシャッタ５の開口部５０から露出する反射型フォトセンサ４が変わる位置に配置されるように、給紙装置１００を構成する。これにより、シャッタ５の開口部５０から露出する反射型フォトセンサ４により、用紙２の大きさ（用紙サイズ）を容易に検出することができる。
【００６６】
また、第１実施形態では、上記のように、２つの反射型フォトセンサ４が、ガイド部３の移動方向（Ｙ方向）と略直交する方向に沿って並んで配置されるように、給紙装置１００を構成する。これにより、２つの反射型フォトセンサ４がガイド部３の移動方向に沿って並んで配置されている場合に比べて、ガイド部３の移動方向における２つの反射型フォトセンサ４が配置される領域の長さをさらに小さくすることができる。
【００６７】
また、第１実施形態では、上記のように、ガイド部３およびシャッタ５の各々が、第１歯車６ａにより互いに連動するように、給紙装置１００を構成する。これにより、ガイド部３を移動させる力により、第１歯車６ａを介して、シャッタ５をスライド移動させることができる。
【００６８】
また、第１実施形態では、上記のように、ガイド部３およびシャッタ５が、第１歯車６ａにより、互いに逆方向に移動するように、給紙装置１００を構成する。ここで、ガイド部３とシャッタ５とが互いに同方向に移動する場合には、互いに噛み合う少なくとも２つの歯車が必要であるのに対し、１つの歯車があれば、ガイド部３とシャッタ５とを互いに逆方向に移動させることが可能である。したがって、ガイド部３とシャッタ５とが互いに同方向に移動する場合に比べて、ガイド部３とシャッタ５とが互いに逆方向に移動するように構成されていることによって、部品点数の増加を抑制することができるとともに、歯車部６が配置される領域を小さくすることができる。
【００６９】
また、第１実施形態では、上記のように、用紙２の大きさに対応してガイド部３が移動することにより第１歯車６ａが回転することに連動して、第２歯車６ｂが回転するとともにシャッタ５がスライド移動するように、給紙装置１００を構成する。これにより、ガイド部３の移動距離に対して、シャッタ５のスライド移動距離を容易に小さくすることができる。その結果、シャッタ５がスライド移動方向（Ｙ方向）において移動可能な領域を小さくすることができる。
【００７０】
また、第１実施形態では、上記のように、用紙２の一方端の位置に合わせてガイド部３が移動することに連動して、シャッタ５がスライド移動するように、給紙装置１００を構成する。これにより、両側から用紙２をガイドする場合に比べて部品点数を低減させることができる。また、１つのガイド部３を移動させるだけでシャッタ５の開口部５０から露出する反射型フォトセンサ４を容易に変化させる（異ならせる）ことができる。
【００７１】
また、第１実施形態では、上記のように、用紙２が載置面１ａに載置されているとともに、第１反射型フォトセンサ４ａ（第２反射型フォトセンサ４ｂ）が開口部５０から露出していない場合に、第１反射型フォトセンサ４ａ（第２反射型フォトセンサ４ｂ）の発光部４０から出射された光が、第１反射型フォトセンサ４ａ（第２反射型フォトセンサ４ｂ）の受光部４１とは異なる方向に反射するように、給紙装置１００を構成する。これにより、受光部４１の受光結果によって、第１反射型フォトセンサ４ａ（第２反射型フォトセンサ４ｂ）が開口部５０から露出されているか否かを容易に検知することができる。
【００７２】
また、第１実施形態では、上記のように、用紙２が載置面１ａに載置されていないとともに、第１反射型フォトセンサ４ａ（第２反射型フォトセンサ４ｂ）が開口部５０から露出している場合に、第１反射型フォトセンサ４ａ（第２反射型フォトセンサ４ｂ）の発光部４０から出射された光が第１反射型フォトセンサ４ａ（第２反射型フォトセンサ４ｂ）の受光部４１とは異なる方向に反射するように、給紙装置１００を構成する。これにより、用紙２が載置面１ａに載置されていない場合は、第１反射型フォトセンサ４ａ（第２反射型フォトセンサ４ｂ）の受光部４１が光を受光していないという受光結果が得られるので、用紙２が載置面１ａに載置されていないことを容易に検知することができる。
【００７３】
また、第１実施形態では、上記のように、開口部５０が、第１反射型フォトセンサ４ａを露出させる第１開口部５０ａと、第２反射型フォトセンサ４ｂを露出させるとともに、シャッタ５のスライド移動方向における長さが第１開口部５０ａとは異なる第２開口部５０ｂとを含むように、給紙装置１００を構成する。これにより、用紙２の大きさに対応してガイド部３を移動させることにより、第１反射型フォトセンサ４ａおよび第２反射型フォトセンサ４ｂの両方が露出している場合と、第１反射型フォトセンサ４ａおよび第２反射型フォトセンサ４ｂのうちの一方が露出している場合とを容易に切り替えることができる。その結果、シャッタ５のスライド移動方向における長さが互いに異なる第１開口部５０ａおよび第２開口部５０ｂにより、３種類の用紙２の大きさを容易に検知することができる。
【００７４】
［第２実施形態］
次に、図１０および図１１を参照して、第２実施形態による給紙装置４００の構成について説明する。この第２実施形態における給紙装置４００では、ガイド部１３が用紙２の一方端をガイドする第１実施形態と異なり、ガイド部１３が用紙２の両端をガイドしている。
【００７５】
（給紙装置の構成）
図１０に示すように、給紙装置４００は、ガイド部１３と、シャッタ１５と、歯車部１６とを備えている。なお、図１０では、レターサイズの用紙２のみを実線で示し、Ａ４、２Ｌ、および、Ｌサイズの用紙２を点線で示している。また、図１０は概略図であって、簡略化のため、説明に不要な部材は図示を省略している。なお、シャッタ１５は、特許請求の範囲の「板状部材」の一例である。
【００７６】
ここで、第２実施形態では、用紙２が載置面１ａに載置されている場合に、ガイド部１３の移動方向（Ｙ方向）における用紙２の両端はガイド部１３によりガイドされている。具体的には、ガイド部１３は、用紙２をＹ方向から挟むように２つ設けられている。すなわち、用紙２の大きさに対応して（用紙２の両端に合わせて）２つのガイド部１３が互いに逆方向に移動するように構成されている。
【００７７】
Ｙ１方向側のガイド部１３は、保持部１３ａと移動制御部１３ｂとを含む。また、Ｙ２方向側のガイド部１３は、シャッタ１５に接続されている。
【００７８】
また、第２実施形態では、歯車部１６の歯車１６ａは、ガイド部１３およびシャッタ１５の各々に噛み合っている。なお、歯車部１６は、単一の歯車１６ａにより構成されている。具体的には、ガイド部１３（移動制御部１３ｂ）は、歯車１６ａの上端部（Ａ１方向側の端部）と噛み合っている。また、シャッタ１５は、歯車１６ａの下端部（Ａ２方向側の端部）と噛み合っている。なお、歯車１６ａは、用紙２が載置面１ａに載置された場合において、Ｙ方向における用紙２の略中央に設けられている。なお、歯車１６ａは、特許請求の範囲の「第１歯車」の一例である。
【００７９】
Ｙ１方向側のガイド部１３がＹ２方向側（Ｙ１方向側）に移動することにより歯車１６ａが時計回り（反時計回り）に回転する。そして、歯車１６ａの回転に連動して、シャッタ１５はＹ１方向側（Ｙ２方向側）にスライド移動する。
【００８０】
また、第２実施形態では、歯車部１６は、ガイド部１３を移動させるために設けられている歯車により構成されている。すなわち、歯車部１６の歯車１６ａは、従来の製品において搭載されていた、ガイド部１３を移動させるための歯車を流用している。
【００８１】
また、２つの反射型フォトセンサ４は、用紙２が載置面１ａに載置された場合において、Ｙ方向における用紙２の略中央に設けられている。すなわち、２つの反射型フォトセンサ４は、歯車１６ａの下方（Ａ２方向側）に設けられている。
【００８２】
シャッタ１５は、複数（第２実施形態では２つ）の開口部１５０を含む。複数の開口部１５０は、Ａ１方向側に設けられているとともに、第１反射型フォトセンサ４ａを露出させる第１開口部１５０ａと、Ａ２方向側に設けられているとともに第２反射型フォトセンサ４ｂを露出させる第２開口１５０部ｂとにより構成されている。第１開口部１５０ａは、略同一の形状を有する、Ｙ１方向側に設けられる開口およびＹ２方向側に設けられる開口の２つの開口により構成されている。また、第２開口部１５０ｂは、１つの開口により構成されている。なお、開口部１５０の構成はこれに限られない。なお、第１開口部１５０ａおよび第２開口部１５０ｂは、それぞれ、特許請求の範囲の「第１開口部」および「第２開口部」の一例である。
【００８３】
第１開口部１５０ａの各開口は、略正方形形状を有している。また、第２開口部１５０ｂの開口は、Ｙ方向に延びる長方形形状を有している。なお、第１開口部１５０ａの各開口のＹ方向における長さは、第２開口部１５０ｂの開口のＹ方向における長さよりも小さい。
【００８４】
また、ガイド部１３がレターサイズの用紙２に対応した位置に配置されている場合、第１反射型フォトセンサ４ａは第１開口部１５０ａのＹ１方向側の開口から露出しており、第２反射型フォトセンサ４ｂは第２開口部１５０ｂから露出していない。この場合、図１１に示すように、第１反射型フォトセンサ４ａは論理値Ｌ（Ｌｏｗ）を出力するとともに、第２反射型フォトセンサ４ｂは論理値Ｈ（Ｈｉｇｈ）を出力する。なお、この場合、移動制御部１３ｂと歯車１６ａとは噛み合っている。
【００８５】
また、ガイド部１３が２Ｌサイズの用紙２に対応した位置に配置されている場合、第１反射型フォトセンサ４ａは第１開口部１５０ａから露出されず、第２反射型フォトセンサ４ｂは第２開口部１５０ｂから露出するので、第１反射型フォトセンサ４ａは論理値Ｈ（Ｈｉｇｈ）を出力するとともに、第２反射型フォトセンサ４ｂは論理値Ｌ（Ｌｏｗ）を出力する。
【００８６】
また、ガイド部１３がＬサイズの用紙２に対応した位置に配置されている場合、第１反射型フォトセンサ４ａは第１開口部１５０ａのＹ２方向側の開口から露出し、第２反射型フォトセンサ４ｂは第２開口部１５０ｂから露出するので、第１反射型フォトセンサ４ａは論理値Ｌ（Ｌｏｗ）を出力するとともに、第２反射型フォトセンサ４ｂは論理値Ｌ（Ｌｏｗ）を出力する。
【００８７】
第２実施形態のその他の構成は、上記第１実施形態と同様である。
【００８８】
（第２実施形態の効果）
第２実施形態では、以下のような効果を得ることができる。
【００８９】
第２実施形態では、上記のように、歯車１６ａが、ガイド部１３およびシャッタ１５の各々と噛み合い、ガイド部１３が移動することにより歯車１６ａが回転することに連動して、シャッタ１５がスライド移動するように、給紙装置４００を構成する。これにより、ガイド部１３およびシャッタ１５が共通の歯車１６ａに噛み合っているので、ガイド部１３の移動距離と、シャッタ１５のスライド移動距離とを略等しくすることができる。その結果、ガイド部１３の移動距離に対してシャッタ１５のスライド移動距離が小さい場合に比べて、シャッタ１５の開口部１５０のスライド移動距離が比較的大きくなる。これにより、ガイド部１３の移動距離を比較的小さくしても、開口部１５０による反射型フォトセンサ４の露出の切り替えを容易に制御することができるので、大きさの差が比較的小さい用紙サイズ同士を容易に判別することができる。また、２種類の歯車を一体的に用いる場合比べて、部品点数を低減させることができる。また、２種類の歯車を同軸上に配置する場合に比べて、歯車の厚み方向における歯車部１６の大きさを縮小することができる。
【００９０】
また、第２実施形態では、上記のように、用紙２が載置面１ａに載置されている場合に、ガイド部１３のスライド移動方向における用紙２の両端がガイド部１３によりガイドされており、用紙２の両端に合わせてガイド部１３が移動することに連動して、シャッタ１５がスライド移動するように、給紙装置４００を構成する。これにより、ガイド部１３により用紙２の一方端がガイドされている場合に比べて、用紙２の大きさに対応してガイド部１３を移動させる距離を１／２にすることができる。その結果、単一の歯車によりシャッタ１５をスライド移動させた場合でも、シャッタ１５がスライド移動方向（Ｙ方向）において移動可能な領域を容易に小さくすることができる。
【００９１】
また、第２実施形態では、上記のように、歯車部１６が、ガイド部１３を移動させるために設けられている歯車により構成されるように、給紙装置４００を構成する。ここで、ガイド部１３を移動させる歯車（歯車１６ａ）は標準的に備えられている。したがって、歯車部１６が、ガイド部１３をスライド移動させるために標準的に備えられている歯車（歯車１６ａ）により構成されていることによって、既存の部品を流用することができるので、部品点数の増加を抑制することができる。
【００９２】
なお、第２実施形態のその他の効果は、上記第１実施形態と同様である。
【００９３】
［第３実施形態］
次に、図１２〜図１４を参照して、第３実施形態による給紙装置５００の構成について説明する。この第３実施形態における給紙装置５００は、２つの反射型フォトセンサ４を備える第１実施形態とは異なり、３つの反射型フォトセンサ１４を備えている。また、図１２および図１４は概略図であって、簡略化のため、説明に不要な部材は図示を省略している。
【００９４】
図１２に示すように、給紙装置５００は、複数（第３実施形態では３つ）の反射型フォトセンサ１４と、シャッタ２５と、歯車部２６とを備えている。なお、図１２では、レターサイズの用紙２のみを実線で示し、Ａ４、Ｂ５、Ａ５、２Ｌ、Ａ６、および、Ｌサイズの用紙２を点線で示している。なお、シャッタ２５は、特許請求の範囲の「板状部材」の一例である。
【００９５】
複数（第３実施形態では３つ）の反射型フォトセンサ１４は、第１反射型フォトセンサ１４ａと、第２反射型フォトセンサ１４ｂと、第３反射型フォトセンサ１４ｃとを含む。第１反射型フォトセンサ１４ａ、第２反射型フォトセンサ１４ｂ、および、第３反射型フォトセンサ１４ｃは、Ａ方向に並んで配置されている。なお、第１反射型フォトセンサ１４ａ、第２反射型フォトセンサ１４ｂ、および、第３反射型フォトセンサ１４ｃは、Ａ１方向側からこの順番に並んでいる。また、第１反射型フォトセンサ１４ａ、第２反射型フォトセンサ１４ｂ、および、第３反射型フォトセンサ１４ｃは、上記第１および第２実施形態の第１反射型フォトセンサ４ａおよび第２反射型フォトセンサ４ｂと同一の構造を有している。なお、反射型フォトセンサ１４、第１反射型フォトセンサ１４ａ、第２反射型フォトセンサ１４ｂ、および、第３反射型フォトセンサ１４ｃは、それぞれ、特許請求の範囲の「反射型光学センサ」の一例である。また、第１反射型フォトセンサ１４ａ、第２反射型フォトセンサ１４ｂ、および、第３反射型フォトセンサ１４ｃは、それぞれ、特許請求の範囲の「第１反射型光学センサ」、「第２反射型光学センサ」、および、「第３反射型光学センサ」の一例である。
【００９６】
また、載置面１ａには、複数（第３実施形態では３つ）の反射型フォトセンサ１４に対向するように、孔部１ｃ（図１４参照）が３つ設けられている。
【００９７】
歯車部２６は、Ｙ方向に並んで配置される２つの歯車２６ａを含む。２つの歯車２６ａの各々は、第１歯車２６ｂと、第１歯車２６ｂと同軸上に配置される第２歯車２６ｃとを含む。なお、第２歯車２６ｃの直径は、第１歯車２６ｂの直径よりも小さい。
【００９８】
また、２つの第２歯車２６ｃには、共通のベルト２６ｄが取り付けられている。２つの第２歯車２６ｃは、ベルト２６ｄにより、同方向に回転するように構成されている。たとえば、Ｙ１方向側の第２歯車２６ｃが時計回りに回転した場合、ベルト２６ｄも連動して時計回りに回転する。そして、ベルト２６ｄの回転に連動して、Ｙ２方向側の第２歯車２６ｃが時計回りに回転する。
【００９９】
ガイド部３（移動制御部３ｂ）は、Ｙ１方向側の歯車２６ａの第１歯車２６ｂの上端部（Ａ１方向側の端部）と噛み合っている。また、シャッタ２５は、Ｙ２方向側の歯車２６ａの第２歯車２６ｃの下端部（Ａ２方向側の端部）と噛み合っている。なお、Ｙ１方向側の歯車２６ａは、Ｂ５サイズの用紙２が載置面１ａに載置された場合（図示せず）において、Ｂ５サイズの用紙２のＹ１方向側の端部の近傍とオーバーラップする位置に設けられている。また、Ｙ２方向側の歯車２６ａは、上記第１実施形態の歯車部６と略同じ位置に配置されている。
【０１００】
シャッタ２５は、複数（第３実施形態では３つ）の開口部２５０を含む。複数の開口部２５０は、第１反射型フォトセンサ１４ａを露出させる第１開口部２５０ａと、第２反射型フォトセンサ１４ｂを露出させる第２開口２５０部ｂと、第３反射型フォトセンサ１４ｃを露出させる第３開口２５０部ｃとにより構成されている。なお、第１開口部２５０ａ、第２開口部２５０ｂ、および、第３開口部２５０ｃは、それぞれ、特許請求の範囲の「第１開口部」、「第２開口部」、および、「第３開口部」の一例である。
【０１０１】
第１開口部２５０ａは、Ｙ方向側に並んで配置される４つの開口により構成されている。第１開口部２５０ａの４つの開口は略同一の形状を有している。また、第２開口部２５０ｂは、Ｙ方向側に並んで配置される２つの開口により構成されている。第２開口部２５０ｂの２つの開口は略同一の形状を有している。また、第３開口部２５０ｃは、１つの開口により構成されている。第１開口部２５０ａの各開口は、略正方形形状を有している。また、第２開口部２５０ｂの各開口、および、第３開口部２５０ｃの各々は、Ｙ方向に延びる長方形形状を有している。なお、開口部２５０の構成はこれに限られない。
【０１０２】
なお、第１開口部２５０ａの各開口のＹ方向における長さは、第２開口部２５０ｂの各開口のＹ方向における長さよりも小さい。また、第２開口部２５０ｂの各開口のＹ方向における長さは、第３開口部２５０ｃの開口のＹ方向における長さよりも小さい。
【０１０３】
ここで、第３実施形態では、複数（第３実施形態では３つ）の開口部２５０は、用紙２の大きさに対応してガイド部３を移動させた場合にシャッタ２５の開口部２５０から露出する反射型フォトセンサ１４が変化するように、シャッタ２５のスライド移動方向（Ｙ方向）に沿って配置されている。具体的には、シャッタ２５には、Ｙ方向において、３つの開口部２５０がオーバーラップしている部分、３つの開口部２５０のうちの２つがオーバーラップしている部分、および、３つの開口部２５０同士がいずれもオーバーラップしていない部分の３つが含まれる。
【０１０４】
また、第３実施形態では、用紙２の大きさに対応してガイド部３を移動させることにより、第１反射型フォトセンサ１４ａ、第２反射型フォトセンサ１４ｂ、および、第３反射型フォトセンサ１４ｃの３つが露出している場合と、第１反射型フォトセンサ１４ａ、第２反射型フォトセンサ１４ｂ、および、第３反射型フォトセンサ１４ｃのうちのいずれか２つが露出している場合と、第１反射型フォトセンサ１４ａ、第２反射型フォトセンサ１４ｂ、および、第３反射型フォトセンサ１４ｃのうちのいずれか１つが露出している場合とを切り替えるように構成されている。以下、詳細に説明する。
【０１０５】
ガイド部３がレターサイズの用紙２に対応した位置に配置されている場合、第１反射型フォトセンサ１４ａは第１開口部２５０ａの開口（図１２では、４つのうちの一番左側の開口）から露出しており、第２反射型フォトセンサ１４ｂはＹ１方向側の第２開口部２５０ｂの開口から露出しており、第３反射型フォトセンサ１４ｃは第３開口部２５０ｃの開口から露出している。この場合、図１３に示すように、第１反射型フォトセンサ１４ａ、第２反射型フォトセンサ１４ｂ、および、第３反射型フォトセンサ１４ｃの各々は論理値Ｌ（Ｌｏｗ）を出力する。
【０１０６】
また、ガイド部３がＡ４サイズの用紙２に対応した位置に配置されている場合、第１反射型フォトセンサ１４ａは第１開口部２５０ａの開口から露出しておらず、第２反射型フォトセンサ１４ｂはＹ１方向側の第２開口部２５０ｂから露出しており、第３反射型フォトセンサ１４ｃは第３開口部２５０ｃの開口から露出する。この場合、第１反射型フォトセンサ１４ａは論理値Ｈ（Ｈｉｇｈ）を出力するとともに、第２反射型フォトセンサ１４ｂおよび第３反射型フォトセンサ１４ｃは論理値Ｌ（Ｌｏｗ）を出力する。
【０１０７】
また、ガイド部３がＢ５サイズの用紙２に対応した位置に配置されている場合、第１反射型フォトセンサ１４ａは第１開口部２５０ａの開口（図１２では左から２番目の開口）から露出しており、第２反射型フォトセンサ１４ｂは第２開口部２５０ｂの開口から露出しておらず、第３反射型フォトセンサ１４ｃは第３開口部２５０ｃの開口から露出する。この場合、第１反射型フォトセンサ１４ａおよび第３反射型フォトセンサ１４ｃは論理値Ｌ（Ｌｏｗ）を出力するとともに、第２反射型フォトセンサ１４ｂは論理値Ｈ（Ｈｉｇｈ）を出力する。
【０１０８】
また、ガイド部３がＡ５サイズの用紙２に対応した位置に配置されている場合、第１反射型フォトセンサ１４ａは第１開口部２５０ａの開口から露出しておらず、第２反射型フォトセンサ１４ｂは第２開口部２５０ｂの開口から露出しておらず、第３反射型フォトセンサ１４ｃは第３開口部２５０ｃの開口から露出する。この場合、第１反射型フォトセンサ１４ａおよび第２反射型フォトセンサ１４ｂは論理値Ｈ（Ｈｉｇｈ）を出力するとともに、第３反射型フォトセンサ１４ｃは論理値Ｌ（Ｌｏｗ）を出力する。
【０１０９】
また、ガイド部３が２Ｌサイズの用紙２に対応した位置に配置されている場合、第１反射型フォトセンサ１４ａは第１開口部２５０ａの開口（図１２では左から３番目の開口）から露出しており、第２反射型フォトセンサ１４ｂはＹ２方向側の第２開口部２５０ｂの開口から露出しており、第３反射型フォトセンサ１４ｃは第３開口部２５０ｃの開口から露出していない。この場合、第１反射型フォトセンサ１４ａおよび第２反射型フォトセンサ１４ｂは論理値Ｌ（Ｌｏｗ）を出力するとともに、第３反射型フォトセンサ１４ｃは論理値Ｈ（Ｈｉｇｈ）を出力する。
【０１１０】
また、ガイド部３がＡ６サイズの用紙２に対応した位置に配置されている場合、第１反射型フォトセンサ１４ａは第１開口部２５０ａの開口から露出しておらず、第２反射型フォトセンサ１４ｂはＹ２方向側の第２開口部２５０ｂの開口から露出しており、第３反射型フォトセンサ１４ｃは第３開口部２５０ｃの開口から露出していない。この場合、第１反射型フォトセンサ１４ａおよび第３反射型フォトセンサ１４ｃは論理値Ｈ（Ｈｉｇｈ）を出力するとともに、第２反射型フォトセンサ１４ｂは論理値Ｌ（Ｌｏｗ）を出力する。
【０１１１】
また、ガイド部３がＬサイズの用紙２に対応した位置に配置されている場合、第１反射型フォトセンサ１４ａは第１開口部２５０ａの開口（図１２では左から４番目の開口）から露出しており、第２反射型フォトセンサ１４ｂは第２開口部２５０ｂから露出しておらず、第３反射型フォトセンサ１４ｃは第３開口部２５０ｃの開口から露出していない。この場合、第１反射型フォトセンサ１４ａは論理値Ｌ（Ｌｏｗ）を出力するとともに、第２反射型フォトセンサ１４ｂおよび第３反射型フォトセンサ１４ｃは論理値Ｈ（Ｈｉｇｈ）を出力する。
【０１１２】
また、用紙２が載置面１ａに載置されていない場合は、用紙２の大きさに関係なく、第１反射型フォトセンサ１４ａ、第２反射型フォトセンサ１４ｂ、および、第３反射型フォトセンサ１４ｃの各々は論理値Ｈ（Ｈｉｇｈ）を出力する。
【０１１３】
第３実施形態のその他の構成は、上記第１実施形態と同様である。
【０１１４】
（第３実施形態の効果）
第３実施形態では、以下のような効果を得ることができる。
【０１１５】
第３実施形態では、上記のように、開口部２５０が、第１反射型フォトセンサ１４ａを露出させる第１開口部２５０ａと、第２反射型フォトセンサ１４ｂを露出させるとともに、シャッタ２５のスライド移動方向における長さが第１開口部２５０ａとは異なる第２開口部２５０ｂと、第３反射型フォトセンサ１４ｃを露出させるとともに、シャッタ２５のスライド移動方向における長さが第１開口部２５０ａおよび第２開口部２５０ｂとは異なる第３開口部２５０ｃとを含むように、給紙装置５００を構成する。これにより、媒体の大きさに対応してガイド部３を移動させることにより、第１反射型光学センサ、第２反射型光学センサ、および、第３反射型光学センサの３つが露出している場合と、第１反射型フォトセンサ１４ａ、第２反射型フォトセンサ１４ｂ、および、第３反射型フォトセンサ１４ｃのうちのいずれか２つが露出している場合と、第１反射型フォトセンサ１４ａ、第２反射型フォトセンサ１４ｂ、および、第３反射型フォトセンサ１４ｃのうちのいずれか１つが露出している場合とを切り替えることができる。その結果、シャッタ２５のスライド移動方向における長さが互いに異なる第１開口部２５０ａ、第２開口部２５０ｂ、および、第３開口部２５０ｃにより、７種類の媒体の大きさを容易に検知することができる。
【０１１６】
なお、第３実施形態のその他の効果は、上記第１実施形態と同様である。
【０１１７】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１１８】
たとえば、上記第１実施形態では、シャッタ５は平板形状を有する例を示したが、本発明はこれに限られない。たとえば、図１５および図１６の給紙装置６００に示すように、シャッタ５は、Ａ方向に対して交差する方向に延びる傾斜部５ａを含んでいる。具体的には、シャッタ５に、シャッタ５のスライド移動方向（Ｙ方向）において開口部５０（第１開口部５０ａ）（図２参照）と並んで配置される傾斜部５ａが設けられている。用紙２の大きさに対応してガイド部３を移動させることにより傾斜部５ａが第１反射型フォトセンサ４ａ（第２反射型フォトセンサ４ｂ）に対向する場合（開口部５０と第１反射型フォトセンサ４ａ（第２反射型フォトセンサ４ｂ）とが対向していない場合）に、傾斜部５ａに対向している第１反射型フォトセンサ４ａ（第２反射型フォトセンサ４ｂ）の発光部４０（図１６参照）から出射された光は傾斜部５ａにより拡散されて第１反射型フォトセンサ４ａ（第２反射型フォトセンサ４ｂ）の受光部４１（図１６参照）とは異なる方向に反射するように構成されている。
【０１１９】
図１５および図１６では、第１反射型フォトセンサ４ａの発光部４０から出射される光を反射させるようにシャッタ５のＡ１方向側に傾斜部５ａが設けられている状態を図示しているが、第２反射型フォトセンサ４ｂの発光部４０から出射される光を反射させるようにシャッタ５のＡ２方向側に傾斜部５ａが設けられていてもよい。また、シャッタ５のＡ１方向側およびＡ２方向側の両方に傾斜部５ａが設けられていてもよい。なお、傾斜部５ａのＡ方向に対する傾斜角は約４５度である。なお、傾斜部５ａの形状は、これに限られない。また、上記第２および第３実施形態においても、シャッタ１５（２５）に傾斜部５ａが設けられていてもよい。なお、図１５および図１６は概略図であって、簡略化のため、説明に不要な部材は図示を省略している。
【０１２０】
これにより、第１反射型フォトセンサ４ａ（第２反射型フォトセンサ４ｂ）の発光部４０からの光を、傾斜部５ａにより、第１反射型フォトセンサ４ａ（第２反射型フォトセンサ４ｂ）の受光部４１に向かって容易に反射させないようにすることができる。その結果、第１反射型フォトセンサ４ａ（第２反射型フォトセンサ４ｂ）が開口部５０から露出していない場合に、第１反射型フォトセンサ４ａ（第２反射型フォトセンサ４ｂ）の受光部４１が光を受光するという誤検知を抑制することができる。
【０１２１】
また、上記第１実施形態では、開口部５０および孔部１ｃを介して載置面１ａ側に出射された光はそのまま直進する例を示したが、本発明はこれに限られない。たとえば、図１７に示すように、給紙装置７００は反射板７を備える。また、給紙装置７００は、開口部５０および孔部１ｃを介して載置面１ａ側に出射された光が、反射板７により反射されるように構成されている。具体的には、反射板７は、２つの反射型フォトセンサ４と対向するとともに、載置面１ａに対して２つの反射型フォトセンサ４が配置されている側とは反対側に配置されている。用紙２が載置面１ａに載置されていない場合に、第１反射型フォトセンサ４ａ（第２反射型フォトセンサ４ｂ）の発光部４０（図６参照）から出射された光は、反射板７により拡散されて第１反射型フォトセンサ４ａ（第２反射型フォトセンサ４ｂ）の受光部４１（図６参照）とは異なる方向に反射するように構成されている。なお、図１７は概略図であって、簡略化のため、説明に不要な部材は図示を省略している。
【０１２２】
詳細には、反射板７は、台形形状の断面形状を有し、Ａ方向に対して交差する２つの傾斜面７ａを含む。２つの傾斜面７ａのうちＡ１方向側に設けられている傾斜面７ａは、第１反射型フォトセンサ４ａと対向している。これにより、第１反射型フォトセンサ４ａの発光部４０から出射され、第１開口部５０ａおよび孔部１ｃを介して載置面１ａ側に出射された光は、Ａ１方向側に設けられている傾斜面７ａによりＡ１方向側に反射される。また、２つの傾斜面７ａのうちＡ２方向側に設けられている傾斜面７ａは、第２反射型フォトセンサ４ｂと対向している。これにより、第２反射型フォトセンサ４ｂの発光部４０から出射され、第２開口部５０ｂおよび孔部１ｃを介して載置面１ａ側に出射された光は、Ａ２方向側に設けられている傾斜面７ａによりＡ２方向側に反射される。なお、傾斜面７ａのＡ方向に対する傾斜角は約４５度である。なお、反射板７の形状は、これに限られない。また、上記第２および第３実施形態における給紙装置が反射板７を備えていてもよい。
【０１２３】
これにより、用紙２が載置面１ａに載置されていない場合に、第１反射型フォトセンサ４ａ（第２反射型フォトセンサ４ｂ）の発光部４０から載置面１ａ側に出射された光が、第１反射型フォトセンサ４ａ（第２反射型フォトセンサ４ｂ）の受光部４１に向かって反射されるのを抑制することができる。その結果、用紙２が載置面１ａに載置されていないとともに第１反射型フォトセンサ４ａ（第２反射型フォトセンサ４ｂ）が開口部５０から露出している場合に、第１反射型フォトセンサ４ａ（第２反射型フォトセンサ４ｂ）の受光部４１が光を受光するという誤検知を抑制することができる。
【０１２４】
また、上記第１実施形態では、共通の開口により、出射された光を載置面１ａ側に通すとともに、用紙２により反射された反射型フォトセンサ４側に通す例を示したが、本発明はこれに限られない。たとえば、図１８の給紙装置８００に示すように、開口部５０は、反射型フォトセンサ４から出射された光を載置面１ａ側に通す出射側開口部３５０と、用紙２により反射された反射型フォトセンサ４から出射された光を反射型フォトセンサ４側に通す入射側開口部３５１とを含む。また、出射側開口部３５０および入射側開口部３５１の各々は、光の入射側の開口の方が光の出射側の開口よりも大きい。たとえば、出射側開口部３５０および入射側開口部３５１の各々は、円錐台形状を有している。なお、出射側開口部３５０および入射側開口部３５１の各々の形状は、これに限られない。また、上記第２および第３実施形態において、開口部１５０（２５０）に、出射側開口部３５０および入射側開口部３５１が設けられていてもよい。なお、図１８は概略図であって、簡略化のため、説明に不要な部材は図示を省略している。
【０１２５】
これにより、出射側開口部３５０および入射側開口部３５１の各々は、光の入射側の開口から光の出射側の開口に向かって光路を狭くするように構成されている。その結果、出射側開口部３５０および入射側開口部３５１を通過した光が拡散するのを抑制することができる。
【０１２６】
また、上記第１〜３実施形態では、歯車部６（１６、２６）によりガイド部３（１３）および板状部材（シャッタ５（１５、２５））をスライド移動させる構成を示したが、本発明はこれに限られない。歯車以外の機構によって、ガイド部３（１３）および板状部材（シャッタ５（１５、２５））をスライド移動させる構成であってもよい。
【０１２７】
また、上記第１〜３実施形態では、２つ（３つ）の反射型光学センサ（反射型フォトセンサ４（１４））が、Ａ方向に並んで配置されている例を示したが、本発明はこれに限られない。たとえば、２つ（３つ）の反射型光学センサ（反射型フォトセンサ４（１４））が、Ｙ方向に対して交差していれば、Ａ方向に並んでいなくてもよい。
【０１２８】
また、上記第１〜３実施形態では、ガイド部３（１３）と板状部材（シャッタ５（１５、２５））とが、互いに逆方向に移動する例を示したが、本発明はこれに限られない。たとえば、ガイド部３（１３）と板状部材（シャッタ５（１５、２５））とが同じ方向に移動してもよい。
【０１２９】
また、上記第１（第２）実施形態では、歯車部６（歯車部１６）が１つだけ設けられている構成の例を示したが、本発明はこれに限られない。たとえば、上記第３実施形態のように、２つの歯車部６（歯車部１６）が、Ｙ方向に並んで配置されていてもよい。
【０１３０】
また、上記第１〜３実施形態では、発光部４０と受光部４１とが互いに別個に設けられている構成の例を示したが、本発明はこれに限られない。たとえば、発光部４０と受光部４１とが一体的に設けられていてもよい。
【０１３１】
また、上記第１〜３実施形態では、載置面１ａに孔部１ｃが設けられている例を示したが、本発明はこれに限られない。たとえば、載置面１ａに切欠部が設けられていてもよい。
【０１３２】
また、上記第２および３実施形態では、第１開口部１５０ａ（２５０ａ）の各開口が略正方形形状を有している例を示したが、本発明はこれに限られない。たとえば、第１開口部１５０ａ（２５０ａ）の各開口が長方形形状を有していてもよい。また、上記第１実施形態の第１開口部５０ａの開口が略正方形形状を有していてもよい。
【０１３３】
また、上記第１〜３実施形態では、給紙装置１００（４００、５００）がプリンタ２００に搭載されている例を示したが、本発明はこれに限られない。たとえば、給紙装置１００（４００、５００）がスキャナに搭載されていてもよい。
【符号の説明】
【０１３４】
１  トレイ（載置部）
１ａ  載置面
１ｂ  壁部（固定部）
１ｃ  孔部
２  用紙（媒体）
３、１３  ガイド部
４、１４  反射型フォトセンサ（反射型光学センサ）
４ａ、１４ａ  第１反射型フォトセンサ（第１反射型光学センサ）（反射型光学センサ）
４ｂ、１４ｂ  第２反射型フォトセンサ（第２反射型光学センサ）（反射型光学センサ）
５、１５、２５  シャッタ（板状部材）
５ａ  傾斜部
６、１６、２６  歯車部
６ａ、２６ｂ  第１歯車
６ｂ、２６ｃ  第２歯車
７  反射板
１４ｃ  第３反射型フォトセンサ（第３反射型光学センサ）（反射型光学センサ）
１６ａ  歯車（第１歯車）
４０  発光部
４１  受光部
５０、１５０、２５０  開口部
５０ａ、１５０ａ、２５０ａ  第１開口部（第１開口部）
５０ｂ、１５０ｂ、２５０ｂ  第２開口部（第２開口部）
１００、４００、５００、６００、７００、８００  給紙装置
２５０ｃ  第３開口部（第３開口部）
３５０  出射側開口部
３５１  入射側開口部
【図１】
2018193176.tif 000003
【図２】
2018193176.tif 000004
【図３】
2018193176.tif 000005
【図４】
2018193176.tif 000006
【図５】
2018193176.tif 000007
【図６】
2018193176.tif 000008
【図７】
2018193176.tif 000009
【図８】
2018193176.tif 000010
【図９】
2018193176.tif 000011
【図１０】
2018193176.tif 000012
【図１１】
2018193176.tif 000013
【図１２】
2018193176.tif 000014
【図１３】
2018193176.tif 000015
【図１４】
2018193176.tif 000016
【図１５】
2018193176.tif 000017
【図１６】
2018193176.tif 000018
【図１７】
2018193176.tif 000019
【図１８】
2018193176.tif 000020